(57)【特許請求の範囲】
【請求項１】
複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するデータ送信部を備え、
前記第２のシグナルフィールド部は、前記ペイロード部と同じ帯域幅で周波数分割された複数の分割部分を含み、
前記第１のシグナルフィールド部は、前記第２のシグナルフィールド部及び前記ペイロード部の周波数分割に関する分割情報を格納する、送信装置であって、
前記第１のシグナルフィールド部は、前記ペイロード部の分割部分毎に、分割部分に格納されるデータの宛先の受信装置を示す宛先装置識別子を含み、
前記宛先装置識別子は、多元アクセスに関する受信装置の所属グループを示すＭＡグループ識別子と受信装置のＭＡＣアドレスを短縮した値とを組み合わせた値である、
送信装置。
【請求項２】
前記ペイロード部は、前記第２のシグナルフィールド部の少なくとも一つの分割部分に対応する帯域において、さらに複数の受信装置宛てのデータが時間分割多重され、
前記第２のシグナルフィールド部の前記少なくとも一つの分割部分は、自分割部分に対応するペイロード部の時間分割に関する分割情報を格納する、
請求項１に記載の送信装置。
【請求項３】
複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するデータ送信部を備え、
前記第２のシグナルフィールド部は、周波数分割された複数の分割部分を含み、
前記第１のシグナルフィールド部は、前記第２のシグナルフィールド部の周波数分割に関する分割情報を格納し、
前記ペイロード部は、前記第２のシグナルフィールド部の少なくとも一つの分割部分に対応する帯域において複数の受信装置宛てのデータが周波数分割多重され、
前記第２のシグナルフィールド部の前記少なくとも一つの分割部分は、自分割部分に対応するペイロード部の周波数分割に関する分割情報を格納する、送信装置であって、
前記第１のシグナルフィールド部は、前記ペイロード部の分割部分毎に、分割部分に格納されるデータの宛先の受信装置を示す宛先装置識別子を含み、
前記宛先装置識別子は、多元アクセスに関する受信装置の所属グループを示すＭＡグループ識別子と受信装置のＭＡＣアドレスを短縮した値とを組み合わせた値である、
送信装置。
【請求項４】
複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するデータ送信部を備え、
前記第２のシグナルフィールド部は、周波数分割された複数の分割部分を含み、
前記第１のシグナルフィールド部は、前記第２のシグナルフィールド部の周波数分割に関する分割情報を格納し、
前記ペイロード部は、前記第２のシグナルフィールド部の少なくとも一つの分割部分に対応する帯域において複数の受信装置宛てのデータが周波数分割多重と時間分割多重の組合せで多重され、
前記第２のシグナルフィールド部の前記少なくとも一つの分割部分は、自分割部分に対応するペイロード部の周波数分割及び時間分割に関する分割情報を格納する、送信装置であって、
前記第１のシグナルフィールド部は、前記ペイロード部の分割部分毎に、分割部分に格納されるデータの宛先の受信装置を示す宛先装置識別子を含み、
前記宛先装置識別子は、多元アクセスに関する受信装置の所属グループを示すＭＡグループ識別子と受信装置のＭＡＣアドレスを短縮した値とを組み合わせた値である、
送信装置。
【請求項５】
前記データ送信部は、前記フレーム内の第１のシグナルフィールド部を無線により全方向に送信し、少なくとも前記第２のシグナルフィールド部と前記ペイロード部を含む複数の空間時間ストリームを無線により各方向に送信し、
前記第１のシグナルフィールド部は、各空間時間ストリームについての前記第２のシグナルフィールド部の分割情報を格納する、
請求項１から４のいずれか１項に記載の送信装置。
【請求項６】
請求項１から５のいずれか１項に記載の送信装置から無線により送信されたフレームを受信するデータ受信部と、
前記データ受信部が受信した前記フレームのヘッダを解析するヘッダ解析部と、
前記ヘッダ解析部によるヘッダの解析の結果に基づいて、前記データ受信部が受信した前記フレームのペイロード部の分割部分のうち自受信装置宛てのデータを含む分割部分のみからデータを取得するペイロードデマッピング部と、を備え、
前記フレームのヘッダは、第１のシグナルフィールド部と前記第１のシグナルフィールド部に後続する第２のシグナルフィールド部を含むヘッダと、を含み、
前記第２のシグナルフィールド部は、前記ペイロード部と同じ帯域幅で周波数分割された複数の分割部分を含み、
前記第１のシグナルフィールド部は、前記第２のシグナルフィールド部及び前記ペイロード部の周波数分割に関する分割情報を格納し、
前記第１のシグナルフィールド部は、前記ペイロード部の分割部分毎に、分割部分に格納されるデータの宛先の受信装置を示す宛先装置識別子を含み、
前記宛先装置識別子は、多元アクセスに関する受信装置の所属グループを示すＭＡグループ識別子と受信装置のＭＡＣアドレスを短縮した値とを組み合わせた値である、
受信装置。
【請求項７】
請求項１から５のいずれか１項に記載の送信装置を備える基地局装置と、
請求項６に記載の受信装置を備える端末装置と、
を備える無線通信システム。
【請求項８】
送信装置が、複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するステップを含み、
前記第２のシグナルフィールド部は、前記ペイロード部と同じ帯域幅で周波数分割された複数の分割部分を含み、
前記第１のシグナルフィールド部は、前記第２のシグナルフィールド部及び前記ペイロード部の周波数分割に関する分割情報を格納し、
前記第１のシグナルフィールド部は、前記ペイロード部の分割部分毎に、分割部分に格納されるデータの宛先の受信装置を示す宛先装置識別子を含み、
前記宛先装置識別子は、多元アクセスに関する受信装置の所属グループを示すＭＡグループ識別子と受信装置のＭＡＣアドレスを短縮した値とを組み合わせた値である、
無線通信方法。
【請求項９】
送信装置のコンピュータに、
複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するステップを実行させるためのコンピュータプログラムであって、
前記第２のシグナルフィールド部は、前記ペイロード部と同じ帯域幅で周波数分割された複数の分割部分を含み、
前記第１のシグナルフィールド部は、前記第２のシグナルフィールド部及び前記ペイロード部の周波数分割に関する分割情報を格納し、
前記第１のシグナルフィールド部は、前記ペイロード部の分割部分毎に、分割部分に格納されるデータの宛先の受信装置を示す宛先装置識別子を含み、
前記宛先装置識別子は、多元アクセスに関する受信装置の所属グループを示すＭＡグループ識別子と受信装置のＭＡＣアドレスを短縮した値とを組み合わせた値である、
コンピュータプログラム。
【発明の詳細な説明】
【技術分野】
【０００１】
本発明は、無線通信システムの技術に関する。
【背景技術】
【０００２】
携帯電話端末に代表されるユーザ端末がデータ通信を移動しながら行う技術（移動無線データ通信の技術）の進歩は目覚ましく、様々な無線通信方式の技術革新がなされ実用化されている。近年では、直交周波数分割多元アクセス（Orthogonal Frequency Division Multiple Access：ＯＦＤＭＡ）の技術を用いたＬＴＥ（Long Term Evolution）方式あるいはＷｉＭＡＸ（Worldwide Interoperability for Microwave Access）方式といった第４世代のデータ通信を高速化した通信規格が主流となっている。ＯＦＤＭＡでは、直交周波数分割多重方式（Orthogonal Frequency Division Multiplexing：ＯＦＤＭ）によって複数の端末装置のアクセスを可能としている。
【０００３】
一方、パーソナルコンピュータ（Personal Computer：ＰＣ）などを中心に搭載されてきた無線ＬＡＮ（Local Area Network）の通信方式は、ＣＳＭＡ／ＣＡ（Carrier Sense Multiple Access with Collision Avoidance）方式を用いた基地局装置との通信手順を基本として発展してきている。無線ＬＡＮの通信方式の規格を策定しているＩＥＥＥ８０２．１１作業委員会は、より高効率にデータ通信を行うことを実現するために、現状のＣＳＭＡ／ＣＡをベースとした無線ＬＡＮの通信方式に対してＯＦＤＭＡの技術を適用することを検討し始めている。
【０００４】
特許文献１の従来技術では、ＩＥＥＥ８０２．１１ａｃ方式の無線ＬＡＮの通信規格に規定される送信方法に関し、フレームのプリアンブルが第１の信号フィールド（VHT-SIG-A）及び第２の信号フィールド（VHT-SIG-B）を備える。また、マルチユーザ（MU）モードでは、複数の宛先装置毎に専用の空間時間ストリームを使用して空間分割多重することにより、複数の装置宛ての同時データ通信を実現している。
【先行技術文献】
【特許文献】
【０００５】
【特許文献１】特許第５６０７２４９号公報
【発明の概要】
【発明が解決しようとする課題】
【０００６】
しかし、特許文献１の従来技術では、一つの空間−時間ストリーム当たりで一つの装置宛てのデータしか含むことができない。このため、空間時間ストリームの同時に使用できる最大数（ＩＥＥＥ８０２．１１ａｃ方式では最大４つ）の装置宛てまでにしか多重送信できなかった。
【０００７】
また、一般に無線ＬＡＮでは、無線フレームの送信前に無線チャネルの未使用を検査し、加えてランダムな待ち時間を設けて送信タイミングをずらすことにより、無線フレームの衝突確率を低減している。この無線フレームの送信前に実施される無線チャネル検査手順や送信待ち手順は、通信性能を低下させるオーバヘッドとなる。特に同一の無線チャネルを利用する装置が多くなると該オーバヘッドの影響が大きくなるので、該オーバヘッドを削減して通信効率の向上を図ることが望ましい。
【０００８】
本発明は、このような事情を考慮してなされたものであり、無線フレームの使用効率の向上を図ることができる送信装置、受信装置、無線通信システム、無線通信方法及びコンピュータプログラムを提供することを課題とする。
【課題を解決するための手段】
【０００９】
（１）本発明の一態様は、複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するデータ送信部を備え、前記第２のシグナルフィールド部は、前記ペイロード部と同じ帯域幅で周波数分割された複数の分割部分を含み、前記第１のシグナルフィールド部は、前記第２のシグナルフィールド部及び前記ペイロード部の周波数分割に関する分割情報を格納する、送信装置であって、前記第１のシグナルフィールド部は、前記ペイロード部の分割部分毎に、分割部分に格納されるデータの宛先の受信装置を示す宛先装置識別子を含み、前記宛先装置識別子は、多元アクセスに関する受信装置の所属グループを示すＭＡグループ識別子と受信装置のＭＡＣアドレスを短縮した値とを組み合わせた値である、送信装置である。
（２）本発明の一態様は、前記ペイロード部は、前記第２のシグナルフィールド部の少なくとも一つの分割部分に対応する帯域において、さらに複数の受信装置宛てのデータが時間分割多重され、前記第２のシグナルフィールド部の前記少なくとも一つの分割部分は、自分割部分に対応するペイロード部の時間分割に関する分割情報を格納する、上記（１）に記載の送信装置である。
（３）本発明の一態様は、複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するデータ送信部を備え、前記第２のシグナルフィールド部は、周波数分割された複数の分割部分を含み、前記第１のシグナルフィールド部は、前記第２のシグナルフィールド部の周波数分割に関する分割情報を格納し、前記ペイロード部は、前記第２のシグナルフィールド部の少なくとも一つの分割部分に対応する帯域において複数の受信装置宛てのデータが周波数分割多重され、前記第２のシグナルフィールド部の前記少なくとも一つの分割部分は、自分割部分に対応するペイロード部の周波数分割に関する分割情報を格納する、送信装置であって、前記第１のシグナルフィールド部は、前記ペイロード部の分割部分毎に、分割部分に格納されるデータの宛先の受信装置を示す宛先装置識別子を含み、前記宛先装置識別子は、多元アクセスに関する受信装置の所属グループを示すＭＡグループ識別子と受信装置のＭＡＣアドレスを短縮した値とを組み合わせた値である、送信装置である。
（４）本発明の一態様は、複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するデータ送信部を備え、前記第２のシグナルフィールド部は、周波数分割された複数の分割部分を含み、前記第１のシグナルフィールド部は、前記第２のシグナルフィールド部の周波数分割に関する分割情報を格納し、前記ペイロード部は、前記第２のシグナルフィールド部の少なくとも一つの分割部分に対応する帯域において複数の受信装置宛てのデータが周波数分割多重と時間分割多重の組合せで多重され、前記第２のシグナルフィールド部の前記少なくとも一つの分割部分は、自分割部分に対応するペイロード部の周波数分割及び時間分割に関する分割情報を格納する、送信装置であって、前記第１のシグナルフィールド部は、前記ペイロード部の分割部分毎に、分割部分に格納されるデータの宛先の受信装置を示す宛先装置識別子を含み、前記宛先装置識別子は、多元アクセスに関する受信装置の所属グループを示すＭＡグループ識別子と受信装置のＭＡＣアドレスを短縮した値とを組み合わせた値である、送信装置である。
（５）本発明の一態様は、前記データ送信部は、前記フレーム内の第１のシグナルフィールド部を無線により全方向に送信し、少なくとも前記第２のシグナルフィールド部と前記ペイロード部を含む複数の空間時間ストリームを無線により各方向に送信し、前記第１のシグナルフィールド部は、各空間時間ストリームについての前記第２のシグナルフィールド部の分割情報を格納する、上記（１）から（４）のいずれかの送信装置である。
【００１０】
（６）本発明の一態様は、上記（１）から（５）のいずれかの送信装置から無線により送信されたフレームを受信するデータ受信部と、前記データ受信部が受信した前記フレームのヘッダを解析するヘッダ解析部と、前記ヘッダ解析部によるヘッダの解析の結果に基づいて、前記データ受信部が受信した前記フレームのペイロード部の分割部分のうち自受信装置宛てのデータを含む分割部分のみからデータを取得するペイロードデマッピング部と、を備え、前記フレームのヘッダは、第１のシグナルフィールド部と前記第１のシグナルフィールド部に後続する第２のシグナルフィールド部を含むヘッダと、を含み、前記第２のシグナルフィールド部は、前記ペイロード部と同じ帯域幅で周波数分割された複数の分割部分を含み、前記第１のシグナルフィールド部は、前記第２のシグナルフィールド部及び前記ペイロード部の周波数分割に関する分割情報を格納し、前記第１のシグナルフィールド部は、前記ペイロード部の分割部分毎に、分割部分に格納されるデータの宛先の受信装置を示す宛先装置識別子を含み、前記宛先装置識別子は、多元アクセスに関する受信装置の所属グループを示すＭＡグループ識別子と受信装置のＭＡＣアドレスを短縮した値とを組み合わせた値である、受信装置である。
【００１１】
（７）本発明の一態様は、上記（１）から（５）のいずれかの送信装置を備える基地局装置と、上記（６）の受信装置を備える端末装置と、を備える無線通信システムである。
【００１２】
（８）本発明の一態様は、送信装置が、複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するステップを含み、前記第２のシグナルフィールド部は、前記ペイロード部と同じ帯域幅で周波数分割された複数の分割部分を含み、前記第１のシグナルフィールド部は、前記第２のシグナルフィールド部及び前記ペイロード部の周波数分割に関する分割情報を格納し、前記第１のシグナルフィールド部は、前記ペイロード部の分割部分毎に、分割部分に格納されるデータの宛先の受信装置を示す宛先装置識別子を含み、前記宛先装置識別子は、多元アクセスに関する受信装置の所属グループを示すＭＡグループ識別子と受信装置のＭＡＣアドレスを短縮した値とを組み合わせた値である、無線通信方法である。
【００１３】
（９）本発明の一態様は、送信装置のコンピュータに、複数の受信装置宛てのデータが周波数分割多重されたペイロード部と、第１のシグナルフィールド部と前記第１のシグナルフィールド部に後続する第２のシグナルフィールド部を含むヘッダと、を含むフレームを無線により送信するステップを実行させるためのコンピュータプログラムであって、前記第２のシグナルフィールド部は、前記ペイロード部と同じ帯域幅で周波数分割された複数の分割部分を含み、前記第１のシグナルフィールド部は、前記第２のシグナルフィールド部及び前記ペイロード部の周波数分割に関する分割情報を格納し、前記第１のシグナルフィールド部は、前記ペイロード部の分割部分毎に、分割部分に格納されるデータの宛先の受信装置を示す宛先装置識別子を含み、前記宛先装置識別子は、多元アクセスに関する受信装置の所属グループを示すＭＡグループ識別子と受信装置のＭＡＣアドレスを短縮した値とを組み合わせた値である、コンピュータプログラムである。
【発明の効果】
【００１４】
本発明によれば、無線フレームの使用効率の向上を図ることができる。
【図面の簡単な説明】
【００１５】
【図１】本発明の一実施形態に係る無線ＬＡＮシステム１を示す構成図である。
【図２】本発明の一実施形態に係る送信装置１００と受信装置２００を示す構成図である。
【図３】本発明の一実施形態に係る無線フレームの構成例１を示す図である。
【図４】本発明の一実施形態の第２シグナルフィールド部及びペイロード部の周波数分割の例を示す図である。
【図５】本発明の一実施形態に係る無線フレームの構成例２を示す図である。
【図６】本発明の一実施形態に係る無線フレームの構成例３を示す図である。
【図７】本発明の一実施形態に係る無線フレームの構成例４を示す図である。
【図８】本発明の一実施形態に係る無線フレームの構成例５を示す図である。
【図９】従来の無線フレームの構成例と時間長の例を示す図である。
【図１０】本発明の一実施形態に係る無線フレームの構成例１の時間長の例を示す図である。
【発明を実施するための形態】
【００１６】
以下、図面を参照し、本発明の実施形態について説明する。
図１は、本発明の一実施形態に係る無線ＬＡＮシステム１を示す構成図である。図１に示す無線ＬＡＮシステム１は、１つの基地局装置１０と複数の端末装置２０を備える。無線ＬＡＮシステム１はＯＦＤＭＡ方式を使用する。基地局装置１０は、無線ＬＡＮのアクセスポイント（Access Point：ＡＰ）として機能する。基地局装置１０の無線ＬＡＮエリア内に存在する端末装置２０は、基地局装置１０を経由して、インターネット等の他の通信ネットワーク２に接続したり、又は同じ無線ＬＡＮエリア内に存在する他の端末装置２０と通信したりすることができる。
【００１７】
図２は、本発明の一実施形態に係る送信装置１００と受信装置２００を示す構成図である。送信装置１００及び受信装置２００はＯＦＤＭＡ方式を使用する。図１に示す基地局装置１０は、図２に示す送信装置１００を備える。図１に示す端末装置２０は、図２に示す受信装置２００を備える。無線ＬＡＮシステム１において、基地局装置１０の送信装置１００と端末装置２０の受信装置２００は、下り方向（基地局装置１０から端末装置２０への方向）の無線通信を行う。なお、基地局装置１０は、上り方向（端末装置２０から基地局装置１０への方向）の無線通信を行う受信装置を備える。また、端末装置２０は、上り方向の無線通信を行う送信装置を備える。
【００１８】
図２に示す送信装置１００は、バッファーメモリ１０１とユーザサブキャリアマッピング部１０２とペイロードマッピング部１０３とヘッダ生成部１０４とデータ送信部１０５を備える。バッファーメモリ１０１は、自送信装置１００から送信する予定のデータパケットである送信データパケットを一時的に格納する。バッファーメモリ１０１には、ＭＡＣ（Media Access Control）フレームの形式で送信データパケットが格納される。
【００１９】
ユーザサブキャリアマッピング部１０２は、各受信装置２００に対して、無線フレームのペイロード部におけるサブキャリア等の割り当てを行う。ユーザサブキャリアマッピング部１０２は、バッファーメモリ１０１内の複数のＭＡＣフレーム形式の送信データパケットを各受信装置２００に送信する際の変調方法を考慮して、ペイロード部に格納するデータのマッピングの計画を立てる。
【００２０】
ペイロードマッピング部１０３は、バッファーメモリ１０１から送信データパケットを受け取る。ペイロードマッピング部１０３は、ユーザサブキャリアマッピング部１０２によるマッピングの計画に従って、バッファーメモリ１０１から受け取った送信データパケットを変調し、該変調データをペイロード部の周波数リソースと時間リソースにマッピングする。
【００２１】
ヘッダ生成部１０４は、ユーザサブキャリアマッピング部１０２によるマッピングの計画に基づいて、無線フレームのヘッダを生成する。データ送信部１０５は、ヘッダ生成部１０４により生成されたヘッダとペイロードマッピング部１０３により生成されたペイロード部を使用して無線フレームを生成し、生成した無線フレームを無線周波数帯の信号に変換して無線により送信する。送信装置１００から無線により送信された無線フレームは、受信装置２００で受信される。
【００２２】
図２に示す受信装置２００は、データ受信部２０１とヘッダ解析部２０２とペイロードデマッピング部２０３とデータ選択部２０４とバッファーメモリ２０５を備える。データ受信部２０１は，送信装置１００から無線により送信された無線フレームを受信する。データ受信部２０１は、受信した無線周波数帯の無線フレームをベースバンドの周波数の信号に変換する。
【００２３】
ヘッダ解析部２０２は、データ受信部２０１によりベースバンドの周波数の信号に変換された無線フレームに対して、ヘッダ解析を行う。ヘッダ解析部２０２は、ヘッダ解析の結果をペイロードマッピング部１０３へ出力する。
【００２４】
ペイロードデマッピング部２０３は、ヘッダ解析部２０２によるヘッダ解析の結果に基づいて、データ受信部２０１によりベースバンドの周波数の信号に変換された無線フレームのペイロード部のデマッピング及び復調を行う。データ選択部２０４は、ペイロードデマッピング部２０３によるペイロード部のデマッピング及び復調の結果から、自受信装置２００宛てのＭＡＣフレームのみを選択し、自受信装置２００宛て以外の他のＭＡＣフレームを破棄する。
【００２５】
バッファーメモリ２０５は、データ選択部２０４により選択された自受信装置２００宛てのＭＡＣフレームを一時的に格納する。バッファーメモリ２０５に格納されたＭＡＣフレームは、バッファーメモリ２０５から、受信データパケットのデータ形式で出力される。受信データパケットは、受信装置２００が備わる端末装置２０内の他の機能部に出力されてもよく、又は、受信装置２００が備わる端末装置２０以外の他の装置に出力されてもよい。
【００２６】
なお、送信データパケット及び受信データパケットは、例えばＩＰ（Internet Protocol）パケットである。
【００２７】
次に本実施形態の無線フレームの構成例を説明する。
【００２８】
（無線フレームの構成例１）
図３は、本実施形態の無線フレームの構成例１を示す図である。図３に示す無線フレームの構成例１では、ペイロード部において、複数の受信装置２００宛てのデータを周波数分割多重する。本実施形態では、ペイロード部におけるデータの周波数分割多重にＯＦＤＭ方式を使用する。
【００２９】
図３に示す無線フレームは、レガシープリアンブル部（Legacy preamble）と、第１シグナルフィールド部（HE-SIG-A）と、ＨＥ−ＳＴＦ部と、ＨＥ−ＬＴＦ部と、第２シグナルフィールド部（HE-SIG-B-1,・・・,N）と、ペイロード部を備える。レガシープリアンブル部は、従来の無線ＬＡＮの通信規格で規定された既知の信号パターンの信号を含む。レガシープリアンブル部は、後位互換性を維持する機能を有する。レガシープリアンブル部によって、従来の無線ＬＡＮの通信規格のみに対応する無線通信装置が図３に示す無線フレームを検出することができる。ＨＥ−ＳＴＦ部及びＨＥ−ＬＴＦ部は同期用信号を格納する。ＨＥ−ＳＴＦ部及びＨＥ−ＬＴＦ部の同期用信号は、図３に示す無線フレームの同期処理を実行するための既知の信号パターンを含む。
【００３０】
第２シグナルフィールド部及びペイロード部は、同じ帯域幅で周波数分割される。本実施形態では、第２シグナルフィールド部及びペイロード部におけるデータの周波数分割多重にＯＦＤＭ方式を使用する。例えば、無線フレーム全体の帯域幅が８０ＭＨｚである場合に、無線フレームの全帯域の８０ＭＨｚを２０ＭＨｚずつ４つの小帯域に分割する。この場合、分割数「Ｎ＝４」となり、第２シグナルフィールド部は４つの分割部分ＨＥ−ＳＩＧ−１，２，３，４に周波数分割される。また、ペイロード部は、第２シグナルフィールド部の４つの分割部分ＨＥ−ＳＩＧ−１，２，３，４に各々対応する４つの分割部分「宛先１のデータ部」，「宛先２のデータ部」，「宛先３のデータ部」，「宛先４のデータ部分」に周波数分割される。
【００３１】
第２シグナルフィールド部の各分割部分は、対応するペイロード部の分割部分の変調方法等の情報を格納する。例えば、上述の分割数「Ｎ＝４」の場合、第２シグナルフィールド部において、分割部分ＨＥ−ＳＩＧ−１はペイロード部の分割部分「宛先１のデータ部」の変調方法等の情報を格納し、分割部分ＨＥ−ＳＩＧ−２はペイロード部の分割部分「宛先２のデータ部」の変調方法等の情報を格納し、分割部分ＨＥ−ＳＩＧ−３はペイロード部の分割部分「宛先３のデータ部」の変調方法等の情報を格納し、分割部分ＨＥ−ＳＩＧ−４はペイロード部の分割部分「宛先４のデータ部」の変調方法等の情報を格納する。
【００３２】
なお、第２シグナルフィールド部は、各受信装置２００宛てに送信されるデータのデータ長を格納してもよい。
【００３３】
第１シグナルフィールド部は、図３に示す無線フレーム全体の帯域幅を示す帯域幅情報と、第２シグナルフィールド部の周波数分割に関する分割情報を格納する。該分割情報は、第２シグナルフィールド部の分割数Ｎを示す分割数情報と、第２シグナルフィールド部の各分割部分の周波数帯域を示す分割範囲情報を含む。分割範囲情報は、各分割部分の周波数帯域の開始位置及び終了位置、あるいは分割幅を示す。本構成例１では、第２シグナルフィールド部及びペイロード部は同じ帯域幅で周波数分割されるので、第１シグナルフィールド部の分割情報は、第２シグナルフィールド部及びペイロード部の周波数分割に関する情報である。
【００３４】
なお、第２シグナルフィールド部の分割が定型で行われる場合には、定型の各分割部分を示す識別子を予め定め、該識別子を分割範囲情報にしてもよい。例えば、無線フレーム全体の帯域幅を２０ＭＨｚずつに分割する場合に、第１番目の２０ＭＨｚの分割部分、第２番目の２０ＭＨｚの分割部分、第３番目の２０ＭＨｚの分割部分のように、各分割部分に対応する順番を示す番号を分割範囲情報にしてもよい。
【００３５】
また、第１シグナルフィールド部の配置は図３の構成例に限定されない。第１シグナルフィールド部は、少なくとも第２シグナルフィールド部よりも時間的に前の位置に配置される。例えば、第１シグナルフィールド部は、ＨＥ−ＬＴＦ部と第２シグナルフィールド部の間に配置されてもよい。
【００３６】
図４は、本実施形態の第２シグナルフィールド部及びペイロード部の周波数分割の例を示す図である。図４の例では、無線フレームの全帯域が２０個のサブキャリアから構成される。該２０個のサブキャリアから構成される無線フレームの全帯域は、４つの小帯域ｆ１，ｆ２，ｆ３，ｆ４に等分割される。各小帯域ｆ１，ｆ２，ｆ３，ｆ４は、サブキャリアを５つずつ有する。各小帯域ｆ１，ｆ２，ｆ３，ｆ４の第２シグナルフィールド部は、各々に引き続くペイロード部の分割部分の変調方法等の情報を格納する。
【００３７】
図４中には、第２シグナルフィールド部及びペイロード部におけるデータの読み出し方向の例が示される。図４の例では、各小帯域ｆ１，ｆ２，ｆ３，ｆ４において、データの読み出し方向は同じである。例えば小帯域ｆ１において、第２シグナルフィールド部の５個のサブキャリアからデータを順番に読み出すことによって、小帯域ｆ１のペイロード部の変調方法を識別することができる。変調方法とは、無線ＬＡＮシステム１で使用する無線通信方式で規定されるＯＦＤＭシンボルの符号化レート及び変調度である。変調方法を示す情報は、変調方法毎に予め定められた識別子であってもよい。
【００３８】
各小帯域ｆ１，ｆ２，ｆ３，ｆ４のペイロード部には、各受信装置２００宛てのデータが第２シグナルフィールド部で示される変調方法で変調された変調データが格納される。ペイロード部における変調データの格納方法は、無線ＬＡＮシステム１で使用する無線通信方式で規定される。図４中の矢印で示されるペイロード部内のデータの読み出し方向は一例であり、これに限定されない。
【００３９】
送信装置１００のヘッダ生成部１０４は、無線フレームのヘッダに含めるレガシープリアンブル部、第１シグナルフィールド部、ＨＥ−ＳＴＦ部、ＨＥ−ＬＴＦ部及び第２シグナルフィールド部を生成する。受信装置２００のヘッダ解析部２０２は、無線フレームのヘッダに含まれるレガシープリアンブル部、第１シグナルフィールド部、ＨＥ−ＳＴＦ部、ＨＥ−ＬＴＦ部及び第２シグナルフィールド部を解析する。
【００４０】
以上が無線フレームの構成例１の説明である。
【００４１】
ここで、上述の無線フレームの構成例１の変形例を説明する。上述の無線フレームの構成例１では、第１シグナルフィールド部は、無線フレーム全体の帯域幅を示す帯域幅情報と第２シグナルフィールド部の周波数分割に関する分割情報を格納する。そして、該分割情報には、第２シグナルフィールド部の分割数Ｎを示す分割数情報と第２シグナルフィールド部の各分割部分の周波数帯域を示す分割範囲情報を含める。本変形例では、該分割情報に対してさらに、ペイロード部の分割部分毎に、分割部分に格納されるデータの宛先の装置を示す宛先装置識別子を含める。宛先装置識別子を分割範囲情報と組にして含めてもよい。これにより、受信装置２００の処理負荷を軽減することができる。この点を以下に説明する。
【００４２】
従来の無線ＬＡＮの受信装置は、無線フレームに含まれるペイロード部を復調して得られたＭＡＣフレームに含まれる受信機アドレスを識別することによって、自身宛ての無線フレームであるか否かを判別していた。この従来の無線フレーム判別方法によれば、上記の図４に示す無線フレームの場合、全ての小帯域ｆ１，ｆ２，ｆ３，ｆ４のペイロード部を各々の変調方法に対応して復調し、全ての小帯域ｆ１，ｆ２，ｆ３，ｆ４のペイロード部からＭＡＣフレームを取得して各ＭＡＣフレームに含まれる受信機アドレスを識別しなければ、自身宛ての無線フレームであるか否かを判別できない。この従来の無線フレーム判別方法では、小帯域ｆ１，ｆ２，ｆ３，ｆ４毎に各ペイロード部の変調方法に対応した復調処理を行うので、受信装置の処理負荷が大きくなる。
【００４３】
一方、本変形例によれば、第１シグナルフィールド部に格納する分割情報にさらに宛先装置識別子を含めることにより、受信装置２００のヘッダ解析部２０２は、無線フレームの第１シグナルフィールド部の解析の結果から、当該無線フレームが自受信装置２００宛てのデータを含むか否かと、さらには当該無線フレームのどの小帯域のペイロード部に自受信装置２００宛てのデータを含むのかを判別できる。これにより、受信装置２００のペイロードデマッピング部２０３は、無線フレームの小帯域のうち自受信装置２００宛てのデータを含む小帯域のペイロード部のみを変調すればよいので、受信装置２００の処理負荷を軽減することができる。
【００４４】
なお、第１シグナルフィールド部に格納する宛先装置識別子として、受信装置２００のＭＡＣアドレス又は無線ＬＡＮシステム１の接続番号（Association ID）を利用してもよい。但し、受信装置２００のＭＡＣアドレス又は無線ＬＡＮシステム１の接続番号をそのまま宛先装置識別子にするのではなく、ＭＡＣアドレス若しくは接続番号を情報圧縮処理等によって変換したり又は他の情報と組み合わせたりした値を宛先装置識別子にすることがセキュリティの観点から好ましい。これは、一般にヘッダは暗号化されないので、暗号化されないヘッダに受信装置２００の詳細情報の一つであるＭＡＣアドレス又は接続番号がそのまま格納されることはセキュリティの観点から好ましくないからである。
【００４５】
このため、例えば、ＭＡＣアドレス又は接続番号を短縮した値を宛先装置識別子にすることが挙げられる。例えば、ＭＡＣアドレス又は接続番号の下位の所定数のビットを宛先装置識別子にしてもよい。又は、無線ＬＡＮシステム１の多元アクセスに関する受信装置２００の所属グループを示すＭＡ（Multi-Access）グループ識別子と、ＭＡＣアドレス又は接続番号を短縮した値とを組み合わせて宛先装置識別子にしてもよい。このようにして、無線フレームのヘッダの解析のみでは、受信装置２００を一意に特定することができないようにすることは好ましい。
【００４６】
なお、ＭＡグループ識別子として、ＯＦＤＭＡにより多重されるデータの宛先の受信装置２００のグループの識別子を使用してもよい。また、例えば、ＯＦＤＭＡにより多重することが好ましい複数の受信装置２００を同じ識別子のグループにグルーピングしてもよい。
【００４７】
（無線フレームの構成例２）
図５は、本実施形態の無線フレームの構成例２を示す図である。図５に示す無線フレームの構成例２では、上述の図３に示す無線フレームの構成例１と同様に、ペイロード部において、複数の受信装置２００宛てのデータを周波数分割多重する。但し、本構成例２では、一小帯域のペイロード部において、さらに複数の受信装置２００宛てのデータを周波数分割多重する。本実施形態では、ペイロード部におけるデータの周波数分割多重にＯＦＤＭ方式を使用する。
【００４８】
図５の例では、無線フレームの全帯域が４つの小帯域に分割される。これにより、第２シグナルフィールド部は、４つの小帯域に各々対応する４つの分割部分ＨＥ−ＳＩＧ−１，２，３，４に周波数分割される。また、ペイロード部は、第２シグナルフィールド部の４つの分割部分ＨＥ−ＳＩＧ−１，２，３，４に各々対応する小帯域において、さらにＮ個の極小帯域に周波数分割される。第２シグナルフィールド部の分割部分ＨＥ−ＳＩＧ−１に対応するペイロード部は、Ｎ個の極小帯域部分「宛先１−１のデータ部」，「宛先１−２のデータ部」，・・・，「宛先１−Ｎのデータ部」に周波数分割される。第２シグナルフィールド部の分割部分ＨＥ−ＳＩＧ−２〜４に各々対応するペイロード部においても、第２シグナルフィールド部の分割部分ＨＥ−ＳＩＧ−１に対応するペイロード部と同様に、Ｎ個の極小帯域部分に周波数分割される。
【００４９】
図５の例によれば、一小帯域当たりでＮ台の受信装置２００宛てのデータを周波数分割多重することができるので、一無線フレーム当たりでは「４×Ｎ」台の受信装置２００宛てのデータを周波数分割多重することができる。
【００５０】
なお、図５に示す無線フレームの構成例２において、無線フレームのヘッダの構成は、上述の図３に示す無線フレームの構成例１と同様である。但し、第２シグナルフィールド部の各分割部分は、自分割部分に対応するペイロード部の極小帯域への周波数分割に関する極小帯域分割情報と、各極小帯域の変調方法等の情報を格納する。極小帯域分割情報は、極小帯域への分割数Ｎを示す極小帯域分割数情報と、ペイロード部の各極小帯域を示す極小帯域分割範囲情報を含む。極小帯域分割範囲情報は、各極小帯域の開始位置及び終了位置、あるいは分割幅を示す。なお、極小帯域への分割が定型で行われる場合には、定型の各極小帯域を示す識別子を予め定め、該識別子を極小帯域分割範囲情報にしてもよい。
【００５１】
送信装置１００のヘッダ生成部１０４は、無線フレームのヘッダに含めるレガシープリアンブル部、第１シグナルフィールド部、ＨＥ−ＳＴＦ部、ＨＥ−ＬＴＦ部及び第２シグナルフィールド部を生成する。受信装置２００のヘッダ解析部２０２は、無線フレームのヘッダに含まれるレガシープリアンブル部、第１シグナルフィールド部、ＨＥ−ＳＴＦ部、ＨＥ−ＬＴＦ部及び第２シグナルフィールド部を解析する。
【００５２】
以上が無線フレームの構成例２の説明である。
【００５３】
（無線フレームの構成例３）
図６は、本実施形態の無線フレームの構成例３を示す図である。図６に示す無線フレームの構成例２では、上述の図３に示す無線フレームの構成例１と同様に、ペイロード部において、複数の受信装置２００宛てのデータを周波数分割多重する。但し、本構成例３では、一小帯域のペイロード部において、さらに複数の受信装置２００宛てのデータを時間分割多重する。本実施形態では、ペイロード部におけるデータの周波数分割多重にＯＦＤＭ方式を使用する。
【００５４】
図６の例では、無線フレームの全帯域が４つの小帯域に分割される。これにより、第２シグナルフィールド部は、４つの小帯域に各々対応する４つの分割部分ＨＥ−ＳＩＧ−１，２，３，４に周波数分割される。また、ペイロード部は、第２シグナルフィールド部の４つの分割部分ＨＥ−ＳＩＧ−１，２，３，４に各々対応する小帯域において、さらにＮ個の時間スロットに時間分割される。第２シグナルフィールド部の分割部分ＨＥ−ＳＩＧ−１に対応するペイロード部は、Ｎ個の時間スロット「宛先１の１のデータ部」，「宛先１の２のデータ部」，・・・，「宛先１のＮのデータ部」に時間分割される。第２シグナルフィールド部の分割部分ＨＥ−ＳＩＧ−２〜４に各々対応するペイロード部においても、第２シグナルフィールド部の分割部分ＨＥ−ＳＩＧ−１に対応するペイロード部と同様に、Ｎ個の時間スロットに時間分割される。
【００５５】
図６の例によれば、一小帯域当たりでＮ台の受信装置２００宛てのデータを時間分割多重することができるので、一無線フレーム当たりでは「４×Ｎ」台の受信装置２００宛てのデータを周波数分割多重と時間分割多重の組合せで多重することができる。
【００５６】
なお、図６に示す無線フレームの構成例３において、無線フレームのヘッダの構成は、上述の図３に示す無線フレームの構成例１と同様である。但し、第２シグナルフィールド部の各分割部分は、自分割部分に対応するペイロード部の時間スロットへの時間分割に関する時間分割情報と、各時間スロットの変調方法等の情報を格納する。時間分割情報は、時間スロットへの分割数Ｎを示す時間分割数情報と、ペイロード部の各時間スロットを示す時間分割範囲情報を含む。時間分割範囲情報は、各時間スロットの開始位置及び終了位置、あるいは時間幅を示す。なお、時間スロットへの分割が定型で行われる場合には、定型の各時間スロットを示す識別子を予め定め、該識別子を時間分割範囲情報にしてもよい。
【００５７】
送信装置１００のヘッダ生成部１０４は、無線フレームのヘッダに含めるレガシープリアンブル部、第１シグナルフィールド部、ＨＥ−ＳＴＦ部、ＨＥ−ＬＴＦ部及び第２シグナルフィールド部を生成する。受信装置２００のヘッダ解析部２０２は、無線フレームのヘッダに含まれるレガシープリアンブル部、第１シグナルフィールド部、ＨＥ−ＳＴＦ部、ＨＥ−ＬＴＦ部及び第２シグナルフィールド部を解析する。
【００５８】
以上が無線フレームの構成例３の説明である。
【００５９】
（無線フレームの構成例４）
図７は、本実施形態の無線フレームの構成例４を示す図である。図７に示す無線フレームの構成例４では、上述の図３に示す無線フレームの構成例１と同様に、ペイロード部において、複数の受信装置２００宛てのデータを周波数分割多重する。但し、本構成例３では、一小帯域のペイロード部において、さらに複数の受信装置２００宛てのデータを周波数分割多重と時間分割多重の組合せで多重する。本実施形態では、ペイロード部におけるデータの周波数分割多重にＯＦＤＭ方式を使用する。
【００６０】
図７の例では、無線フレームの全帯域が４つの小帯域に分割される。これにより、第２シグナルフィールド部は、４つの小帯域に各々対応する４つの分割部分ＨＥ−ＳＩＧ−１，２，３，４に周波数分割される。また、ペイロード部は、第２シグナルフィールド部の４つの分割部分ＨＥ−ＳＩＧ−１，２，３，４に各々対応する小帯域において、さらに複数の分割部分に周波数分割及び時間分割される。第２シグナルフィールド部の分割部分ＨＥ−ＳＩＧ−１に対応するペイロード部は周波数分割及び時間分割により複数の分割部分に分けられ、該複数の分割部分には複数の受信装置２００宛てのデータが格納される。第２シグナルフィールド部の分割部分ＨＥ−ＳＩＧ−２〜４に各々対応するペイロード部においても、第２シグナルフィールド部の分割部分ＨＥ−ＳＩＧ−１に対応するペイロード部と同様に、周波数分割及び時間分割により複数の分割部分に分けられ、該複数の分割部分には複数の受信装置２００宛てのデータが格納される。
【００６１】
なお、図７に示す無線フレームの構成例４において、無線フレームのヘッダの構成は、上述の図３に示す無線フレームの構成例１と同様である。但し、第２シグナルフィールド部の各分割部分は、自分割部分に対応するペイロード部の分割部分への周波数分割及び時間分割に関する周波数時間分割情報と、各分割部分の変調方法等の情報を格納する。周波数時間分割情報は、分割部分への分割数Ｎを示す周波数時間分割数情報と、ペイロード部の各分割部分を示す周波数時間分割範囲情報を含む。周波数時間分割範囲情報は、各分割部分の周波数方向及び時間方法の各々の開始位置及び終了位置を示す。なお、分割部分への分割が定型で行われる場合には、定型の各分割部分を示す識別子を予め定め、該識別子を周波数時間分割範囲情報にしてもよい。
【００６２】
送信装置１００のヘッダ生成部１０４は、無線フレームのヘッダに含めるレガシープリアンブル部、第１シグナルフィールド部、ＨＥ−ＳＴＦ部、ＨＥ−ＬＴＦ部及び第２シグナルフィールド部を生成する。受信装置２００のヘッダ解析部２０２は、無線フレームのヘッダに含まれるレガシープリアンブル部、第１シグナルフィールド部、ＨＥ−ＳＴＦ部、ＨＥ−ＬＴＦ部及び第２シグナルフィールド部を解析する。
【００６３】
以上が無線フレームの構成例４の説明である。
【００６４】
なお、一無線フレームにおいて、上述の無線フレームの構成例１〜４のうちから、いずれか一つを単独で使用してもよく、又は、いずれか複数を組み合わせてもよい。例えば、図４に示す小帯域ｆ１，ｆ２，ｆ３，ｆ４の各々でペイロード部を異なる構成にしてもよい。例えば、小帯域ｆ１には、図３に示す無線フレームの構成例１を使用して一つの受信装置２００宛てのデータのみをペイロード部に格納してもよい。小帯域ｆ２には、図５に示す無線フレームの構成例２を使用してＮ台の受信装置２００宛てのデータを周波数分割多重によりペイロード部に格納してもよい。小帯域ｆ３には、図６に示す無線フレームの構成例３を使用してＮ台の受信装置２００宛てのデータを時間分割多重によりペイロード部に格納してもよい。小帯域ｆ４には、図７に示す無線フレームの構成例４を使用して複数台の受信装置２００宛てのデータを周波数分割多重及び時間分割多重によりペイロード部に格納してもよい。
【００６５】
（無線フレームの構成例５）
図８は、本実施形態の無線フレームの構成例５を示す図である。図８に示す無線フレームの構成例５では、上述の図３に示す無線フレームの構成例１と同様に、ペイロード部において、複数の受信装置２００宛てのデータを周波数分割多重する。但し、本構成例３では、空間分割多重により、さらに複数の受信装置２００宛てのデータを多重する。本実施形態では、ペイロード部におけるデータの周波数分割多重にＯＦＤＭ方式を使用する。
【００６６】
図８の例では、無線フレームのＨＥ−ＳＴＦ部以降が４つの空間時間ストリームＳＴ１，ＳＴ２，ＳＴ３，ＳＴ４に多重される。各空間時間ストリームＳＴ１，ＳＴ２，ＳＴ３，ＳＴ４の構成は、上述の図３に示す無線フレームの構成例１のＨＥ−ＳＴＦ部以降の構成と同様である。図８において、レガシープリアンブル部（Legacy preamble）は、上述の図３に示す無線フレームの構成例１と同様である。第１シグナルフィールド部（HE-SIG-A）は、無線フレーム全体の帯域幅を示す帯域幅情報と、各空間時間ストリームＳＴ１，ＳＴ２，ＳＴ３，ＳＴ４についての第２シグナルフィールド部の周波数分割に関する分割情報を格納する。また、第１シグナルフィールド部（HE-SIG-A）は、無線ＬＡＮシステム１の多元アクセスに関する受信装置２００の所属グループを示すＭＡ（Multi-Access）グループ識別子をさらに格納してもよい。例えば、空間時間ストリーム毎に、空間時間ストリームに多重されるデータの宛先の受信装置２００のグループの識別子をＭＡグループ識別子にしてもよい。
【００６７】
送信装置１００のデータ受信部２０１は、図８に示す無線フレーム内のレガシープリアンブル部（Legacy preamble）と第１シグナルフィールド部（HE-SIG-A）を無線により全方向に送信する。一方、送信装置１００のデータ受信部２０１は、図８に示す無線フレーム内の各空間時間ストリームＳＴ１，ＳＴ２，ＳＴ３，ＳＴ４を無線により各方向に送信する。
【００６８】
以上が無線フレームの構成例５の説明である。なお、上述した図８の例では、各空間時間ストリームＳＴ１，ＳＴ２，ＳＴ３，ＳＴ４の構成を、上述の図３に示す無線フレームの構成例１のＨＥ−ＳＴＦ部以降の構成と同様にしたが、上述の図５，図６，図７に各々示される無線フレームの構成例２，３，４のいずれかのＨＥ−ＳＴＦ部以降の構成と同様にしてもよい。
【００６９】
なお、無線ＬＡＮシステム１における実際の無線通信では、上述した無線フレームの構成例１〜５に対してさらにガードインターバルやパイロット信号などの無線ＬＡＮシステム１で規定される信号が無線フレームに付加される。
【００７０】
上述した実施形態によれば、一つの無線フレームに複数の受信装置２００宛てのデータを格納することができるので、無線フレームの使用効率を向上させることができる。これにより、無線フレームの送信前に実施される無線チャネル検査手順や送信待ち手順のオーバヘッドによる通信性能の低下の影響を低減させる効果が得られる。以下に具体例を挙げて、本実施形態による効果を説明する。以下の具体例の説明では、ＩＥＥＥ８０２．１１ａｃ方式の無線ＬＡＮの通信規格に規定される送信方法を使用する例を挙げる。
【００７１】
図９は従来の無線フレームの構成例と時間長の例を示す図である。図９の例では、一つの無線フレームにより、一つの受信装置に対して１００バイトのデータを１００Ｍｂｐｓのビットレートで送信する。この場合、図９に示されるように、一つの無線フレームの時間長は５２マイクロ秒（μｓ）になる。この無線フレームを使用して、１０台の受信装置の各々に対して１００バイトのデータを送信することを想定する。ここで、従来技術の標準的な値として、一つの無線フレームを送信する前に実施される無線チャネル検査手順に要する検査時間が３４マイクロ秒であり、送信待ち手順における平均のランダム待ち時間が６８マイクロ秒である。これにより、１０台の受信装置の全てにデータを送信し終えるまでには、１０個の無線フレームを送信することから、「（５２＋３４＋６８）×１０＝１５４０」マイクロ秒を要する。
【００７２】
図１０は、本実施形態の無線フレームの構成例１の時間長の例を示す図である。図１０の例では、一つの無線フレームで１０台の受信装置宛てのデータを多重する。このため、ペイロード部分の各受信装置向けのデータのビットレートは、上記の図９の無線フレーム構成例に比して、１０Ｍｂｐｓ程度に低下すると想定する。この場合、図１０に示されるように、一つの無線フレームの時間長は、上記の図９の無線フレーム構成例に比して、１２８マイクロ秒（μｓ）に増加する。しかし、図１０の無線フレーム構成例によれば、１０台の受信装置の全てにデータを送信し終えるまでには、１個の無線フレームのみを送信すればよいことから、「１２８＋３４＋６８＝２３０」マイクロ秒で済む。このように、本実施形態によれば、従来に比して、無線通信の効率が向上する。特にサイズが小さいデータを多くの受信装置に対して送信する場合には、必要なオーバヘッドに対して送信するデータが小さいために効率の低下が顕著になるが、本実施形態によれば効率の低下を抑制する効果が得られる。
【００７３】
以上、本発明の実施形態について図面を参照して詳述してきたが、具体的な構成はこの実施形態に限られるものではなく、本発明の要旨を逸脱しない範囲の設計変更等も含まれる。
例えば、上述の実施形態では無線ＬＡＮシステムに適用したが、無線ＬＡＮシステム以外の無線通信システムに適用してもよい。
【００７４】
また、上述した送信装置１００又は受信装置２００の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００７５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７６】
１…無線ＬＡＮシステム、１０…基地局装置、２０…端末装置、１００…送信装置、１０１，２０５…バッファーメモリ、１０２…ユーザサブキャリアマッピング部、１０３…ペイロードマッピング部、１０４…ヘッダ生成部、１０５…データ送信部、２００…受信装置、２０１…データ受信部、２０２…ヘッダ解析部、２０３…ペイロードデマッピング部、２０４…データ選択部
【図１】
0006594682.tif 000002
【図２】
0006594682.tif 000003
【図３】
0006594682.tif 000004
【図４】
0006594682.tif 000005
【図５】
0006594682.tif 000006
【図６】
0006594682.tif 000007
【図７】
0006594682.tif 000008
【図８】
0006594682.tif 000009
【図９】
0006594682.tif 000010
【図１０】
0006594682.tif 000011